(57)【要約】【課題】リード側でない手の微妙な感覚を確保するとともに、グリップの握り力を得られるゴルフクラブの握り補助具を提供する。【解決手段】リード側でない手の手首よりも上方部位に基部（２０）を保持するとともに、その手の中指、薬指及び親指を中指部（３０）、薬指部（３１）及び親指部（３２）に差し込み、少なくとも甲側において基部と中指部、薬指部及び親指部との間を接続し、リード側でない手でゴルフクラブのグリップ（６０）を握った時に中指部、薬指部及び親指部を手首よりも上方部位に対して引っ張ることにより中指、薬指及び親指を差し込まれた状態に保持し、中指、薬指及び親指によるグリップの握り力を確保する一方、人指し指及び小指は裸の指のままとし、その微妙な感覚を確保する。【選択図】  図１
2004242894.tif 000002
【特許請求の範囲】
【請求項１】
右利きのゴルファーの場合には右手、左利きのゴルファーの場合には左手に着用される握り補助具であって、
上記右手又は左手の手首よりも上方部位に保持される基部と、
上記右手又は左手の中指、薬指及び親指を差し込み得る中指部、薬指部及び親指部と、
上記右手又は左手の少なくとも甲側において上記基部と中指部、薬指部及び親指部との間を接続し、上記右手又は左手でゴルフクラブのグリップを握った時に上記中指部、薬指部及び親指部を上記基部に対して引っ張ることにより上記右手又は左手の中指、薬指及び親指を中指部、薬指部及び親指部に差し込まれた状態に保持する接続部と、を備えたことを特徴とするゴルフクラブの握り補助具。
【請求項２】
上記接続部は上記右手又は左手の甲及び掌の全体を包む形状をなしている請求項１記載のゴルフクラブの握り補助具。
【請求項３】
上記基部には切り込み部が設けられるとともに、切れ込み部の両側をフラップによって締着することにより上記基部は上記右手又は左手の手首よりも上方部位に抱きついて保持されるようになっている請求項１記載のゴルフクラブの握り補助具。
【発明の詳細な説明】
【０００１】
【発明の属する技術分野】
本発明はゴルフクラブの握り補助具に関し、特に右利きのゴルファーの場合には右手、左利きのゴルファーの場合には左手によるグリップの握りを補助する補助具に関する。
【０００２】
【従来の技術】
ゴルフクラブをスイングする場合、例えば右利きのゴルファーでは左手によるスイングのリード，左利きのゴルファーでは右手によるスイングのリードが基本である。
【０００３】
ところで、ゴルフクラブではシャフト上端部分に比較的滑り難いゴム製や皮革製のグリップを装着しているが、それにもかかわらず、グリップが雨水や汗で濡れ、あるいはグリップの表面が磨滅していると、滑りやすくなることから、右利きのゴルファーは左手、左利きのゴルファーは右手（「リード側の手」ともいう）に手袋を着用して手が滑りやすくなるのを防止することがよく行われている（特許文献１、特許文献２、特許文献３、特許文献４、参照）。
【０００４】
【特許文献１】特開平０９−２５３２６６号公報
【特許文献２】特開平１０−３３７３４９号公報
【特許文献３】特開２０００−２７１２６１号公報
【特許文献４】特開２００２−０２０９１３号公報
【０００５】
他方、右利きのゴルファーの場合の右手、左利きのゴルファーの場合の左手（「リード側でない手」ともいう）については、中指及び薬指と親指との間でグリップを握るとともに、リード側でない手の掌でリード側の手の親指を押さえ込み、小指をリード側の手の人指し指と絡ませ（インターロッキング・グリップ）あるいは人指し指に重ね（オーバーラッピング・グリップ）、これによって両手を一体化し、安定したスイングを行えるようにする一方、リード側でない手の人指し指でヘッドの方向をコントロールすることが行われている。
【０００６】
【発明が解決しようとする課題】
しかし、リード側でない手についてもグリップの握り力を確保すべく手袋を着用すると、人指し指、さらには小指に求められる微妙な感覚が得られず、ヘッド方向のコントロール性、さらにはリード側の手との一体感が得にくく、手袋を着用しないと、グリップの握り力が得られず、リード側でない手が滑りやすく、いずれにしてもリード側でない手が有効に使い切れていないのが実情である。
【０００７】
本発明はかかる問題点に鑑み、リード側でない手について微妙な感覚を確保するとともに所望のグリップの握り力を得られるようにしたゴルフクラブの握り補助具を提供することを課題とする。
【０００８】
【課題を解決するための手段】
そこで本発明に係るゴルフクラブの握り補助具は、右利きのゴルファーの場合には右手、左利きのゴルファーの場合には左手に着用される握り補助具であって、上記右手又は左手の手首よりも上方部位に保持される基部と、上記右手又は左手の中指、薬指及び親指を差し込み得る中指部、薬指部及び親指部と、上記右手又は左手の少なくとも甲側において上記基部と中指部、薬指部及び親指部との間を接続し、上記右手又は左手でゴルフグラブのグリップを握った時に上記中指部、薬指部及び親指部を上記基部に対して引っ張ることにより上記右手又は左手の中指、薬指及び親指を上記中指部、薬指部及び親指部に差し込まれた状態に保持する接続部と、を備えたことを特徴とする。
【０００９】
本発明の特徴の１つはリード側でない手の親指、中指及び薬指を親指部、中指部及び薬指部に差し込み、リード側でない手でゴルフクラブのクリップを握った時に基部に対して親指部、中指部及び薬指部を引っ張るようにした点にある。
【００１０】
これにより、親指、中指及び薬指については手袋を着用したと同様の状態となり、親指と中指及び薬指との間にゴルフクラブのグリップをしっかりと握ることができ、リード側でない手も滑りにくくなる。
【００１１】
また、人指し指及び小指は裸の指のままであるので、人指し指及び小指の微妙な感覚が損なわれることはなく、人指し指によってヘッド方向を任意にコントロールできるとともに、小指によってリード側の手との一体感を確保できる。
【００１２】
ゴルフクラブのグリップを握る場合、リード側でない手の掌でリード側の手の親指を押さえ込んで両手をさらに一体化するので、接続部は甲側にのみ設け、リード側でない手の掌のリード側の手の親指に対する微妙な間隔を確保するのがよいが、製造の煩雑さを考慮すると、掌側にも接続部を設け、通常の手袋において人指し指及び小指を差し込む人指し指部及び小指部のない形態としてもよい。
【００１３】
即ち、接続部は右手又は左手の甲及び掌の全体を包む形状となすこともできる。ただし、掌側の接続部は親指を押さえ込む微妙な感覚が損なわれないように薄くするのが好ましい。
【００１４】
基部は単に手首よりも上方部位を包む筒状としてもよいが、切れ込みを入れ、フラップで締着して上方部位に抱きついてしっかりと保持されるようにするのがよい。即ち、基部には切り込み部が設けられるとともに、切れ込み部の両側をフラップによって締着することにより、基部は右手又は左手の手首よりも上方部位に抱きついて保持されるようになっているのがよい。
【００１５】
握り補助具の素材は特に限定されず、布、天然皮革、合成皮革、合成樹脂等を用いることができる。中指部、薬指部及び親指部の掌側の部分は素材のままとしてもよく、又公知の手法によって滑り止め用の微小突起を形成するようにしてもよい。
【００１６】
【発明の実施の形態】
以下、本発明を図面に示す具体例に基づいて詳細に説明する。図１ないし図３は本発明に係るゴルフクラブの握り補助具の好ましい実施形態を示す。本例の握り補助具１０は天然皮革その他の適切な素材を用いて製作され、基部２０、中指部３０、薬指部３１、親指部３２及び接続部４０から構成されている。
【００１７】
基部２０には切れ込み部２１が設けられるとともに、切れ込み部２１の一方にはフラップ２２の一端縁が縫合され、該フラップ２２の裏面には雄（又は雌）の面ファスナー（図示せず）が縫合されている。
【００１８】
また、切れ込み部２１の他方側部分の表面にはフラップ２２の面ファスナーとほぼ同形状の雌（又は雄）の面ファスナー（図示せず）が縫合されており、雌の面ファスナーにフラップ２２の雄の面ファスナーを締着させることによって基部２０は右手（リード側でない手）の手首より上方部位に抱きついて保持されるようになっている。
【００１９】
中指部３０、薬指部３１、親指部３２は右手の中指、薬指及び親指を差し込み得る筒状の形態をなし、各指部３０〜３２の甲側の部分には複数の通気孔が形成される一方、各指部３０〜３２の掌側の部分には滑り止め用の微小突起が設けられている。
【００２０】
接続部４０は右手の甲側において基部２０と中指部３０及び薬指部３１を接続する帯状の部分４１と、右手の甲側及び掌側において基部２０と親指部３２とを接続する部分４２とから構成されている。
【００２１】
右利きのゴルファーが本例の握り補助具１０を用いる場合、図１及び図２に示されるように、右手の中指を握り補助具１０の中指部３０に、薬指を握り補助具１０の薬指部３１に差し込み、右手の親指を握り補助具１０の親指部３２に差し込む。
【００２２】
その後、握り補助具１０の基部２０を右手の手首よりも上方部分、図１の例では右手の甲の手首側の部分の位置まで引っ張り、フラップ２２の雄の面ファスナーを雌の面ファスナーに締着させると、切れ込み部２１がフラップ２２によって締め付けられ、基部２０は右手の手首よりも上方部位に保持され、こうして握り補助具１０を右手に着用することだできる。
【００２３】
次に、例えばインターロッキング・グリップによってゴルフクラブのグリップ６０を握る場合には図３に示されるように、手袋５０を着用した左手でグリップ６０の上端部側を握り、右手の小指を左手の人指し指と絡ませるとともに、左手の親指を右手の掌で押さえ込みながら、右手の中指及び薬指と親指でグリップ６０の左手の前方部位を握り、右手の人指し指を下側からグリップ６０に引っ掛ける。
【００２４】
すると、握り補助具１０の中指部３０，薬指部３１及び親指部３２は接続部４０によって基部２０に引っ張られて、右手の中指、薬指及び親指は握り補助具１０の中指部３０，薬指部３１及び親指部３２に差し込んだ状態に確実に保持され、その状態でグリップ６０を握っているので、グリップ６０をしっかりと握ることができ、グリップ６０が雨水や汗で濡れたりグリップ６０の表面が磨滅したりしていても右手が滑ることが軽減される。
【００２５】
また、右手の人指し指は裸の指のままであるので、人指し指の微妙な感覚が損なわれることはなく、人指し指によってヘッド方向を任意にコントロールできることとなる。
【００２６】
さらに、右手の小指は裸のままで左手の人指し指と絡ませるとともに、左手の親指を右手の裸の掌で押さえ込んでいるので、右手の小指及び掌の微妙な感覚が損なわれることはなく、左右の手の安定した一体感を確保できる。
【００２７】
また、グリップ６０の握り方をオーバーラッピング・グリップやノーマル・グリップにしたときは右手の小指の状態が上記インターロッキング・グリップとは異なるが、上記と同様の作用効果を奏する。
【００２８】
図４及び図５は第２の実施形態を示し、図において図１及び図２と同一符号は同一又は相当部分を示す。本例では接続部４０を右手の甲側及び掌側を包む形態とし、握り補助具１０を通常の手袋とほぼ同様の形態とすることによって簡単に製造できるようにしている。
【００２９】
但し、この場合、右手の掌で直接左手の親指を押さえ込んでおらず、右手の掌の微妙な感覚が少し劣ることが懸念されるので、握り補助具１０の接続部４０の掌の部分４３を少し薄くするのが好ましい。
【００３０】
なお、上記の実施形態では右手用の握り補助具を例に説明したが、本発明は左利きのゴルファーの左手用の握り補助具にも同様に適用できる。
【図面の簡単な説明】
【図１】本発明に係るゴルフクラブの握り補助具の好ましい実施形態を示す右手の甲側から見た図である。
【図２】上記実施形態において右手の掌側から見た図である。
【図３】上記実施形態の使用例を示す図である。
【図４】第２の実施形態の右手の甲側から見た図である。
【図５】第２の実施形態の右手の掌側から見た図である。
【符号の説明】
１０    握り補助具
２０    基部
２１    切れ込み部
２２    フラップ
３０    中指部
３１    薬指部
３２    親指部
４０    接続部
５０    左手用手袋
６０    グリップ
【図１】
2004242894.tif 000003
【図２】
2004242894.tif 000004
【図３】
2004242894.tif 000005
【図４】
2004242894.tif 000006
【図５】
2004242894.tif 000007